(57)【要約】  光ピックアップ装置（１０４）は、第１発振波長のレーザ光を出力する第１の光集積素子（２０１）と、第２発振波長のレーザ光を出力する第２の光集積素子（２０２）と、ビームスプリッタ（２０５）と、平行光学系（２０６）と、集光光学系（２０７）とを備える。ビームスプリッタ（２０５）と第１の光集積素子（２０１）との間の第１の光路中には、負の屈折力を有する負レンズ（２０４）と全反射ミラー（２０３）とが配置されている。平行光学系（２０６）の焦点距離は、第２発振波長のレーザ光に対するリム光強度を第１の所定範囲内で最小にする値に設定され、負レンズ（２０４）の焦点距離は、第１発振波長のレーザ光に対するリム光強度を第２の所定範囲内で最小にする値に設定される。第１の光集積素子（２０１）は、全反射ミラー（２０３）により屈曲された第１の光路の端に配置され、且つ第２の光集積素子（２０２）と隣接して配置されている。
2012039318.tif 000002
【特許請求の範囲】
【請求項１】
第１発振波長のレーザ光を出射する第１のレーザ光源と第１の受光素子とを含む第１の光集積素子と、
前記第１発振波長よりも長い第２発振波長のレーザ光を出射する第２のレーザ光源と第２の受光素子とを含む第２の光集積素子と、
第１の光学面、第２の光学面及び第３の光学面を有し、前記第１の光集積素子から第１の光路を経て前記第１の光学面に入射する前記第１発振波長のレーザ光を導光して前記第３の光学面から出射するとともに、前記第２の光集積素子から第２の光路を経て前記第２の光学面に入射する前記第２発振波長のレーザ光を導光して前記第３の光学面から出射するビームスプリッタと、
前記ビームスプリッタの前記第３の光学面から出射された前記第１発振波長のレーザ光を第１の平行光に変換するとともに、前記第３の光学面から出射された前記第２発振波長のレーザ光を第２の平行光に変換する平行光学系と、
前記平行光学系から出射された前記第１の平行光を光ディスクに集光させるとともに、前記平行光学系から出射された前記第２の平行光を前記光ディスクに集光させる集光光学系と、
前記第１の光路中に配置され、前記第１の光集積素子から出射された前記第１発振波長のレーザ光を発散させる負の屈折力を有する負レンズと、
前記第１の光路中に配置され、前記第１の光集積素子から出射された前記第１発振波長のレーザ光を前記第１の光学面の方向に反射させる全反射ミラーと
を備え、
前記光ディスクで反射した戻り光は、前記集光光学系及び前記平行光学系を経て前記ビームスプリッタの前記第３の光学面に入射し、
前記ビームスプリッタは、前記戻り光のうち前記第１発振波長のレーザ光を導光して前記第１の光学面から出射するとともに、前記戻り光のうち前記第２発振波長のレーザ光を導光して前記第２の光学面から出射し、
前記第１の光集積素子は、前記第１の光学面から出射され前記負レンズ及び前記全反射ミラーを経て入射する前記第１発振波長のレーザ光を受光し、
前記第２の光集積素子は、前記第２の光学面から出射された前記第２発振波長のレーザ光を受光し、
前記平行光学系の焦点距離は、前記第２発振波長のレーザ光に対するリム光強度を第１の所定範囲内で最小にする値に設定されており、
前記負レンズの焦点距離は、前記第１発振波長のレーザ光に対するリム光強度を第２の所定範囲内で最小にする値に設定されており、
前記第１の光集積素子は、前記全反射ミラーにより屈曲された前記第１の光路の端に配置され、且つ前記第２の光集積素子と隣接して配置されている
ことを特徴とする光ピックアップ装置。
【請求項２】
請求項１に記載の光ピックアップ装置であって、前記第１の光集積素子の光軸と前記第２の光集積素子の光軸とは互いに平行であることを特徴とする光ピックアップ装置。
【請求項３】
請求項１または２に記載の光ピックアップ装置であって、前記第２発振波長のレーザ光に対するリム光強度をＩＲＩＭとし、前記集光光学系に光を入射させる前記平行光学系の焦点距離をｆとし、前記第２のレーザ光源のビーム広がり角をθ（単位：°）とし、前記集光光学系の瞳径をφとし、比例係数をＫとするとき、前記平行光学系の焦点距離ｆは、以下の式：
【数４】
2012039318.tif 000009
に従って与えられることを特徴とする光ピックアップ装置。
【請求項４】
請求項１から３のうちのいずれか１項に記載の光ピックアップ装置であって、
前記第１の所定範囲内の最小値が５５％であり、
前記第２の所定範囲内の最小値が６０％である
ことを特徴とする光ピックアップ装置。
【請求項５】
請求項１から４のうちのいずれか１項に記載の光ピックアップ装置であって、
前記第１発振波長は、４０５ｎｍであり、
前記第２発振波長は、６５０ｎｍである、
ことを特徴とする光ピックアップ装置。
【請求項６】
請求項１から５のうちのいずれか１項に記載の光ピックアップ装置であって、
前記集光光学系は、前記第１発振波長のレーザ光と前記第２発振波長のレーザ光とについて共用の対物レンズを含み、
前記対物レンズは、前記第１発振波長のレーザ光に対して第１の開口数を有し、且つ、前記第２発振波長のレーザ光に対して前記第１の開口数よりも小さい第２の開口数を有する
ことを特徴とする光ピックアップ装置。
【請求項７】
請求項１から６のうちのいずれか１項に記載の光ピックアップ装置であって、前記ビームスプリッタは、前記第１の光学面に入射する前記第１発振波長のレーザ光を前記平行光学系の方向に反射させ、前記第２の光学面に入射する前記第２発振波長のレーザ光を透過させることを特徴とする光ピックアップ装置。
【請求項８】
請求項１から６のうちのいずれか１項に記載の光ピックアップ装置であって、前記ビームスプリッタは、前記第２の光学面に入射する前記第２発振波長のレーザ光を前記平行光学系の方向に反射させ、前記第１の光学面に入射する前記第１発振波長のレーザ光を透過させることを特徴とする光ピックアップ装置。
【請求項９】
請求項１から８のうちのいずれか１項に記載の光ピックアップ装置を備えていることを特徴とする光ディスク装置。
【請求項１０】
請求項９に記載の光ディスク装置であって、前記光ピックアップ装置の第１の受光素子及び第２の受光素子のうちのいずれか一方から出力された検出信号に基づいて、前記光ディスクの記録情報を再生する信号再生回路をさらに備えることを特徴とする光ディスク装置。
【発明の詳細な説明】
【技術分野】
【０００１】
本発明は、光ディスクから記録情報を再生する技術に関する。
【背景技術】
【０００２】
ＣＤ（Ｃｏｍｐａｃｔ  Ｄｉｓｃ）、ＤＶＤ（Ｄｉｇｔａｌ  Ｖｅｒｓａｔｉｌｅ  Ｄｉｓｃ：デジタル多用途ディスク）あるいはＢＤ（Ｂｌｕ−ｒａｙ  Ｄｉｓｃ；登録商標）といった光ディスクは、非接触での情報の記録再生を可能とし、大容量で比較的安価な情報記録媒体を実現可能とすることから、産業用から民生用まで幅広く使用されている。光ディスクの大容量化は、光ディスクのトラック状またはスパイラル状の記録トラックに形成された記録マーク（ピットや相変化マークを含む。）を微小化し、これに合わせて、記録や再生に使用されるレーザ光の短波長化と、対物レンズの開口数（ＮＡ：Ｎｕｍｅｒｉｃａｌ  Ａｐｅｒｔｕｒｅ）の高値化とにより焦点面での集光スポットサイズを微小化することで達成されてきた。【０００３】
たとえば、ＣＤでは、光透過層となるディスク基板の厚さが約１．２ｍｍ、レーザ光波長が約７８０ｎｍ、対物レンズのＮＡが０．４５であり、６５０ＭＢの容量を実現することができる。ＤＶＤでは、光透過層となるディスク基板の厚さが約０．６ｍｍ、レーザ光波長が約６５０ｎｍ、ＮＡが０．６であり、４．７ＧＢの容量を実現することができる。さらに高記録密度のＢＤでは、光学記録層を被覆する光透過層である保護層の厚さを約０．１ｍｍと薄くし、レーザ光波長を約４０５ｎｍ、ＮＡを０．８５とすることで２５ＧＢ以上の大容量化を実現することができる。【０００４】
また、光ディスクはその普及とともにさまざまな場面で利用されるようになっている。そのため、光ディスクから情報を再生する機器には、可搬性の向上や省スペース化のためにさらなる小型化が求められている。このような機器の小型化には、当該機器に搭載される光ピックアップ装置の小型化が必須である。たとえば、特開２０１０−１０２８１０号公報（特許文献１）と特開２００７−２５０１２３号公報（特許文献２）とには、発光素子と受光素子とが一体化された光集積素子を用いて光ピックアップ装置の小型化を図る技術が開示されている。
【先行技術文献】
【特許文献】
【０００５】
【特許文献１】特開２０１０−１０２８１０号公報（段落００１１など）
【特許文献２】特開２００７−２５０１２３号公報
【発明の概要】
【発明が解決しようとする課題】
【０００６】
近年、ＤＶＤやＢＤなどの規格の異なる複数種の光ディスクから情報を再生し得る光ピックアップ装置が提供されている。この種の光ピックアップ装置においては、光ディスクの種類に応じて発振波長の異なる複数種のレーザ光源（発光素子）が搭載され、レーザ光源の発振波長にそれぞれ対応するように設計された光学部品が搭載されているので、光学部品点数が多くなるという問題がある。特許文献１には、光集積素子を採用して光ピックアップ装置の小型化を図る技術が開示されているが、この技術による装置の小型化には限界があった。【０００７】
小型化のための他の方法として、特許文献２に記載されているように、複数種のレーザ光源について一部の光学部品（たとえば、対物レンズやコリメータレンズ）を共用化することで光学部品点数を減らすという方法が考えられる。しかしながら、光学部品を共用化すると、一部の種類の光ディスクについては所望の再生性能が得られるものの、他の種類の光ディスクについては所望の再生性能を得ることがむずかしいという問題がある。【０００８】
上記に鑑みて本発明の目的は、複数種の光ディスクに対応して発振波長が互いに異なる複数のレーザ光源を搭載する場合に、これらレーザ光源について光学部品の一部を共用化しても、全ての種類の光ディスクについて良好な再生性能を確保しつつ装置の小型化を実現することができる光ピックアップ装置及び光ディスク装置を提供することである。
【課題を解決するための手段】
【０００９】
本発明の第１の態様による光ピックアップ装置は、第１発振波長のレーザ光を出射する第１のレーザ光源と第１の受光素子とを含む第１の光集積素子と、前記第１発振波長よりも長い第２発振波長のレーザ光を出射する第２のレーザ光源と第２の受光素子とを含む第２の光集積素子と、第１の光学面、第２の光学面及び第３の光学面を有し、前記第１の光集積素子から第１の光路を経て前記第１の光学面に入射する前記第１発振波長のレーザ光を導光して前記第３の光学面から出射するとともに、前記第２の光集積素子から第２の光路を経て前記第２の光学面に入射する前記第２発振波長のレーザ光を導光して前記第３の光学面から出射するビームスプリッタと、前記ビームスプリッタの前記第３の光学面から出射された前記第１発振波長のレーザ光を第１の平行光に変換するとともに、前記第３の光学面から出射された前記第２発振波長のレーザ光を第２の平行光に変換する平行光学系と、前記平行光学系から出射された前記第１の平行光を光ディスクに集光させるとともに、前記平行光学系から出射された前記第２の平行光を前記光ディスクに集光させる集光光学系と、前記第１の光路中に配置され、前記第１の光集積素子から出射された前記第１発振波長のレーザ光を発散させる負の屈折力を有する負レンズと、前記第１の光路中に配置され、前記第１の光集積素子から出射された前記第１発振波長のレーザ光を前記第１の光学面の方向に反射させる全反射ミラーとを備え、前記光ディスクで反射した戻り光は、前記集光光学系及び前記平行光学系を経て前記ビームスプリッタの前記第３の光学面に入射し、前記ビームスプリッタは、前記戻り光のうち前記第１発振波長のレーザ光を導光して前記第１の光学面から出射するとともに、前記戻り光のうち前記第２発振波長のレーザ光を導光して前記第２の光学面から出射し、前記第１の光集積素子は、前記第１の光学面から出射され前記負レンズ及び前記全反射ミラーを経て入射する前記第１発振波長のレーザ光を受光し、前記第２の光集積素子は、前記第２の光学面から出射された前記第２発振波長のレーザ光を受光し、前記平行光学系の焦点距離は、前記第２発振波長のレーザ光に対するリム光強度を第１の所定範囲内で最小にする値に設定されており、前記負レンズの焦点距離は、前記第１発振波長のレーザ光に対するリム光強度を第２の所定範囲内で最小にする値に設定されており、前記第１の光集積素子は、前記全反射ミラーにより屈曲された前記第１の光路の端に配置され、且つ前記第２の光集積素子と隣接して配置されていることを特徴とする。【００１０】
本発明の第２の態様による光ディスク装置は、前記光ピックアップ装置を備えることを特徴とする。
【発明の効果】
【００１１】
本発明によれば、第１の光集積素子の第１のレーザ光源の使用時に良好な再生性能を確保しつつ装置の小型化を実現することができる。
【図面の簡単な説明】
【００１２】
【図１】本発明に係る実施の形態１の光ディスク装置の構成を概略的に示す機能ブロック図である。
【図２】（Ａ），（Ｂ）は、実施の形態１の光ピックアップ装置の構成を概略的に示す図である。
【図３】実施の形態１の光ピックアップ装置におけるＤＶＤ／ＣＤ用レーザ光の光路を概略的に示す図である。
【図４】実施の形態１の光ピックアップ装置におけるＢＤ用レーザ光の光路を概略的に示す図である。
【図５】（Ａ）〜（Ｃ）は、ビーム広がり角を説明するための図である。
【図６】コリメータレンズと負レンズとの組み合わせからなる光学系の焦点距離に対するラジアル方向のリム光強度を示すグラフである。
【図７】（Ａ），（Ｂ）は、本発明に係る実施の形態２の光ピックアップ装置の構成を概略的に示す図である。
【図８】実施の形態２の光ピックアップ装置におけるＤＶＤ／ＣＤ用レーザ光の光路を概略的に示す図である。
【図９】実施の形態２の光ピックアップ装置におけるＢＤ用レーザ光の光路を概略的に示す図である。
【図１０】（Ａ），（Ｂ）は、本発明に係る実施の形態３の光ピックアップ装置の構成を概略的に示す図である。
【図１１】（Ａ），（Ｂ）は、本発明に係る実施の形態４の光ピックアップ装置の構成を概略的に示す図である。
【発明を実施するための形態】
【００１３】
以下、本発明に係る種々の実施の形態について図面を参照しつつ説明する。
【００１４】
実施の形態１．
図１は、本発明に係る実施の形態１の光ディスク装置１の構成を概略的に示す機能ブロック図である。図２（Ａ），（Ｂ）は、光ディスク装置１の中の光ピックアップ装置１０４の構成を概略的に示す図である。
【００１５】
図１に示されるように、光ディスク装置１は、光ディスク１０１が着脱自在に装着されるターンテーブル１０２と、このターンテーブル１０２を回転駆動させるディスク駆動部としてのスピンドルモータ１０３と、光ディスク１０１から記録情報の読み出しを行なう光ピックアップ装置１０４と、この光ピックアップ装置１０４を光ディスク１０１のラジアル（半径）方向にシフトさせて位置付けするスレッド駆動機構１０５とを備える。また、光ディスク装置１は、マトリクス回路１０６、信号再生回路１０７、サーボ回路１０８、スピンドル制御回路１０９、レーザ制御回路１１０、スレッド制御回路１１１及びコントローラ１１２を備えている。
【００１６】
光ディスク１０１は、スピンドルモータ１０３の駆動軸（スピンドル）に固定されたターンテーブル１０２に着脱自在に装着されている。光ディスク１０１は、単一の情報記録層を有する単層ディスク、あるいは、複数の情報記録層を有する多層ディスクである。光ディスク１０１としては、たとえば、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）を挙げることができるが、これらに限定されるものではない。スピンドルモータ１０３は、スピンドル制御回路１０９の制御を受けてこの光ディスク１０１を回転駆動する。スピンドル制御回路１０９は、コントローラ１１２からの命令に従って動作し、スピンドルモータ１０３から供給された実回転数を表すパルス信号に基づいて実回転数を目標回転数に一致させるようにスピンドルサーボを実行する機能を有する。
【００１７】
光ピックアップ装置１０４は、情報の再生時または記録時に光ディスク１０１にレーザ光を照射し、光ディスク１０１の情報記録層で反射された戻り光を受光して検出信号を生成し、当該検出信号をマトリクス回路１０６に出力する機能を有する。図２（Ａ）は、光ピックアップ装置１０４を光ディスク１０１の情報記録面に垂直な法線方向（Ｘ軸とＹ軸とに垂直なＺ軸方向）から見たときの上面視図であり、図２（Ｂ）は、光ピックアップ装置１０４の一部を側方（Ｘ軸方向）から見たときの概略図である。図２（Ａ），（Ｂ）に示されるように、光ピックアップ装置１０４は、光ディスク１０１のラジアル方向に沿った長辺を持つ筐体ＣＳを有している。また、光ピックアップ装置１０４は、光集積素子２０１，２０２と、反射ミラー２０３と、負の屈折力を有する負レンズ（凹レンズ）２０４と、ビームスプリッタであるダイクロイックプリズム２０５と、コリメータレンズ２０６と、対物レンズアクチュエータ２０９とを有している。
【００１８】
一方の光集積素子２０１は、ＢＤ用レーザ光（発振波長：約４０５ｎｍ）を出射する半導体レーザ素子と受光素子とが同一基板上に集積された構造を有し、他方の光集積素子２０２は、ＤＶＤ用レーザ光（発振波長：約６５０ｎｍ）とＣＤ用レーザ光（発振波長：約７８０ｎｍ）とを出射する２波長半導体レーザ素子と受光素子とが同一基板上に集積された構造を有するものである。レーザ制御回路１１０は、これら光集積素子２０１，２０２を個別に駆動して、光ピックアップ装置１０４から出射されるレーザ光の強度を制御することができる。
【００１９】
光集積素子２０１から出射されたレーザ光は、反射ミラー２０３で反射され、負レンズ２０４を透過してダイクロイックプリズム２０５に入射する。ダイクロイックプリズム２０５は、負レンズ２０４から出射されたレーザ光をコリメータレンズ（平行光学系）２０６の方向に反射させる。一方、光集積素子２０２から出射されたレーザ光は、ダイクロイックプリズム２０５を透過してコリメータレンズ２０６の光入射面に入射する。図２（Ｂ）に示されるように、コリメータレンズ２０６は、ダイクロイックプリズム２０５から入射したレーザ光を平行光に変換する。このようにコリメータレンズ２０６は、ＢＤ用レーザ光、ＤＶＤ用レーザ光及びＣＤ用レーザ光について共用される光学部品である。
【００２０】
立ち上げミラー２０８は、図２（Ｂ）に示されるように、コリメータレンズ２０６から入射した平行光の方向を互換対物レンズ（集光光学系）２０７の方向（Ｚ軸方向）に変換する。そして、互換対物レンズ２０７は、立ち上げミラー２０８の反射面から入射した光を光ディスク１０１に集光させる。この互換対物レンズ２０７も、ＢＤ用レーザ光、ＤＶＤ用レーザ光及びＣＤ用レーザ光について共用される光学部品である。互換対物レンズ２０７の光学面（たとえば、光源側の光入射面）は、入射光の波長域に応じて当該入射光を選択的に回折させる波長選択性（開口制限機能）を持つ回折格子構造を有しており、これにより、入射光の波長域に応じて異なるＮＡ（開口数）を形成することができる。本実施の形態では、ＣＤ用レーザ光に対するＮＡは約０．４５であり、ＤＶＤ用レーザ光に対するＮＡは約０．６であり、ＢＤ用レーザ光に対するＮＡは約０．８５である。以下の表１に、ＢＤ／ＤＶＤ／ＣＤ用レーザ光の３波長互換対物レンズ２０７の仕様の一例を示す。
【表１】
2012039318.tif 000003
【００２１】
互換対物レンズ２０７では、対物レンズ焦点距離の違いはレーザ光の波長の違いによって生じている。そのため、レーザ光の波長の違いによる焦点距離の差は小さい。また対物レンズのＮＡについては、ＢＤ、ＤＶＤ及びＣＤのそれぞれの仕様を満たすように設計されている。この仕様ではレーザ光の波長が短いほど、対物レンズのＮＡは大きくなっている。その結果、ＢＤ、ＤＶＤ及びＣＤ用レーザ光に対する対物レンズ瞳径の比は、ＢＤ、ＤＶＤ及びＣＤ用レーザ光に対するＮＡの比とほぼ同じとなる。ＮＡが大きいほど、対物レンズ瞳径は大きく、レーザ光の取り込み量が大きくなり、レーザ光の利用効率が増大する。
【００２２】
光ピックアップ装置１０４は、さらに、光学収差（主に球面収差）補正用のコリメータレンズ駆動機構２１０を備えている。コリメータレンズ駆動機構２１０は、サーボ回路１０８またはコントローラ１１２から供給された制御信号に応じて、コリメータレンズ２０６を光軸方向にシフトさせて光学収差を適正に補正することができる。コリメータレンズ駆動機構２１０は、ステッピングモータ（図示せず）や、コリメータレンズ２０６を光軸方向に移動させるガイド機構（図示せず）を有している。コリメータレンズ駆動機構２１０は、たとえば、光ディスク１０１の種類（ＤＶＤ／ＣＤ／ＢＤ）に対応するカバー層（情報記録層を被覆する層）の厚み、多層ディスクの中の特定の情報記録層を被覆するカバー層の厚み、あるいは、カバー層の厚みの製造誤差に応じて、コリメータレンズ２０６を光軸に沿ってシフトさせて球面収差を補正することができる。
【００２３】
図１を参照すると、マトリクス回路１０６は、マトリクス演算回路及び増幅回路などを備えており、光ピックアップ装置１０４から供給された検出信号にマトリクス演算処理を施して、高周波信号である再生ＲＦ信号を生成し、さらにフォーカスエラー信号やトラッキングエラー信号などのサーボ制御用の信号を生成する。再生ＲＦ信号は信号再生回路１０７に、サーボ制御用の信号はサーボ回路１０８に、それぞれ供給される。
【００２４】
信号再生回路１０７は、再生ＲＦ信号に２値化処理を施して変調信号を生成し、この変調信号から再生クロックを抽出するとともに、変調信号に復調処理や誤り訂正やデコード処理を施して再生データを生成する。再生データは、映像音響機器やパーソナルコンピュータなどのホスト機器（図示せず）に転送される。
【００２５】
サーボ回路１０８は、マトリクス回路１０６から供給されたサーボ制御用の信号に基づいて、フォーカス制御及びトラッキング制御のための各種サーボドライブ信号を生成し、これらサーボドライブ信号を光ピックアップ装置１０４の対物レンズアクチュエータ２０９に供給する。
【００２６】
対物レンズアクチュエータ２０９は、図２（Ａ）に示されるように、互換対物レンズ２０７を保持するレンズホルダ（可動部）２０９Ｌと、このレンズホルダ２０９Ｌを支持するサスペンション２０９Ｓａ，２０９Ｓｂと、磁気回路２０９Ｍａ，２０９Ｍｂとを備える。対物レンズアクチュエータ２０９は、さらに、図示されないフォーカスコイルとトラッキングコイルとを備えている。サーボ回路１０８は、フォーカスコイルにサーボドライブ信号（駆動電流）を供給することにより互換対物レンズ２０７をフォーカス方向にシフトすることができ、トラッキングコイルにサーボドライブ信号（駆動電流）を供給することにより互換対物レンズ２０７をラジアル方向にシフトすることができる。
【００２７】
図１のスレッド制御回路１１１は、スレッド駆動機構１０５によって光ピックアップ装置１０４を光ディスク１０１のラジアル方向にシフトさせて位置付けすることができる。これにより、光ピックアップ装置１０４は、光ディスク１０１の所望の記録トラックに再生用あるいは記録用のレーザ光を照射することができる。
【００２８】
上記サーボ回路１０８、レーザ制御回路１１０、スレッド制御回路１１１及びスピンドル制御回路１０９の各動作は、コントローラ１１２によって制御される。コントローラ１１２は、マイクロコンピュータで構成されており、ホスト機器（図示せず）からのコマンドに応じて各種制御処理を実行する。
【００２９】
図３は、光ピックアップ装置１０４におけるＤＶＤ／ＣＤ用レーザ光の光路を概略的に示す図である。図３に示されるように、光集積素子２０２から出射されたＤＶＤ／ＣＤ用レーザ光Ｌａは、ダイクロイックプリズム２０５の光学面２０５ｂに入射し、ダイクロイックプリズム２０５を透過してコリメータレンズ２０６で平行光に変換される。立ち上げミラー２０８は、この平行光を互換対物レンズ２０７の方向に反射させる。そして、互換対物レンズ２０７は、立ち上げミラー２０８から入射した光を光ディスク１０１に集光させて集光スポットを形成する。一方、光ディスク１０１で反射した戻り光は、互換対物レンズ２０７を透過した後、立ち上げミラー２０８でコリメータレンズ２０６の方向に反射させられる。その後、戻り光は、コリメータレンズ２０６及びダイクロイックプリズム２０５をこの順で透過した後、光集積素子２０２の受光素子（図示せず）によって受光される。
【００３０】
図４は、光ピックアップ装置１０４におけるＢＤ用レーザ光の光路を概略的に示す図である。図４に示されるように、光集積素子２０２から出射されたＢＤ用レーザ光Ｌｂは、反射ミラー２０３で反射して負レンズ２０４に入射する。ダイクロイックプリズム２０５は、負レンズ２０４から光学面２０５ａに入射するレーザ光をコリメータレンズ２０６の方向に反射させる。立ち上げミラー２０８は、コリメータレンズ２０６から出射された平行光を、互換対物レンズ２０７の方向に反射させる。そして、互換対物レンズ２０７は、立ち上げミラー２０８から入射した光を光ディスク１０１に集光させて集光スポットを形成する。一方、光ディスク１０１で反射した戻り光は、互換対物レンズ２０７を透過した後、立ち上げミラー２０８でコリメータレンズ２０６の方向に反射する。その後、戻り光は、ダイクロイックプリズム２０５の光学面２０５ｃに入射し、ダイクロイックプリズム２０５の内部で反射して負レンズ２０４に入射する。反射ミラー２０３は、負レンズ２０４から出射された戻り光を光集積素子２０１の方向に反射させる。そして、光集積素子２０１の受光素子（図示せず）は、戻り光を受光する。
【００３１】
本実施の形態の特徴の１つは、ダイクロイックプリズム２０５と反射ミラー２０３との間の光路に負の屈折力を有する負レンズ２０４が配置され、負レンズ２０４とコリメータレンズ２０６との組み合わせからなる光学系の合成焦点距離がコリメータレンズ２０６単独の焦点距離よりも大きいことである。これにより、共用のコリメータレンズ２０６の焦点距離を短くしても長い合成焦点距離を確保することができる。後述するように、合成焦点距離を長くすることで、ＢＤ用レーザ光Ｌｂの使用時の集光スポット径を小さくすることができ、再生性能の劣化を抑制することができる。コリメータレンズ２０６の焦点距離をｆ１とし、負レンズ２０４の焦点距離をｆ２とするとき、光学系の合成焦点距離ｆＣは、以下の式（１）で与えられる。
【数１】
2012039318.tif 000004
【００３２】
上式（１）中、ｄは、コリメータレンズ２０６の第２主点と負レンズ２０４の第１主点との間の光学距離である。たとえば、ｄを１０ｍｍとし、ｆｃ＝３２ｍｍ、ｆ１＝２５ｍｍとすれば、負レンズ２０４の焦点距離ｆ２は約−６９ｍｍとなる。
【００３３】
仮に負レンズ２０４を設けない場合には、ＢＤ用レーザ光Ｌｂの光ディスク１０１における集光スポット径を十分に小さくすることができず、光ディスク１０１の隣接トラック間のクロストークが増大し、短い記録マークから再生される信号の品質も低下するので、所望の再生性能を確保することがむずかしい。一方、負レンズ２０４を設けた場合には、光ピックアップ装置１０４内の光学系の光透過率が減少する。しかしながら、半導体レーザ素子の技術進歩によって、レーザ出力パワーは年々増加しているので、そのレーザ出力パワーの増加分で光透過率の減少分を補うことができる。そのため、本実施の形態においては再生性能を確保するために、集光スポット径を十分に小さくすることを優先することができる。
【００３４】
集光スポット径は、光ディスクについての標準評価条件の１つであるリム光強度と関係している。リム光強度とは、対物レンズの瞳における最大光強度（＝Ｉｍａｘ）に対する瞳端での光強度（＝Ｉｅ）の比率（＝Ｉｅ／Ｉｍａｘ）をいう。リム光強度は、半導体レーザ素子のビーム広がり角と関係している。レーザ光のビーム広がり角をθ（単位：°）とし、互換対物レンズ２０７の瞳径（直径）をφとし、互換対物レンズ２０７に光を入射させる光学系（たとえば、コリメータレンズ２０６、あるいはコリメータレンズ２０６と負レンズ２０４との組み合わせ）の焦点距離をｆとするとき、リム光強度ＩＲＩＭ（単位：パーセント）は、以下の式（２）で与えられる。
【数２】
2012039318.tif 000005
【００３５】
比例係数Ｋを用いて上式（２）を整理すれば、以下の式（３）を得ることができる。
【数３】
2012039318.tif 000006
【００３６】
図５（Ａ）〜（Ｃ）は、ビーム広がり角θを説明するための図である。ビーム広がり角θには、２種類の値θｖ，θｈがある。ビーム広がり角θｈは、半導体レーザ素子３００の活性層から出射されたレーザ光Ｌｅの遠視野像（ＦＦＰ）の光強度分布のうち、活性層の光出射端に平行なＸθ方向における光強度分布の半値全幅（光強度ＩＸが最大値の５０％になるときの角度幅）をいう。また、ビーム広がり角θｖは、半導体レーザ素子３００の活性層から出射されたレーザ光Ｌｅの遠視野像（ＦＦＰ）の光強度分布のうち、活性層の光出射端に垂直なＹθ方向における光強度分布の半値全幅（光強度ＩＹが最大値の５０％になるときの角度幅）をいう。
【００３７】
以下の表２に、レーザ光のビーム広がり角θｈ，θｖの仕様を示す。ビーム広がり角θｖに関しては、ＢＤの場合の値がＤＶＤの場合の値よりも小さく、ビーム広がり角θｈに関しては、ＢＤの場合の値はＤＶＤの場合の値とほぼ同じである。
【表２】
2012039318.tif 000007
【００３８】
また、再生性能を満たすためのリム光強度の基準範囲を以下の表３に示す。
【表３】
2012039318.tif 000008
【００３９】
表３に示されるように、リム光強度の最小値（ラジアル方向）は、ＢＤの場合で５５％、ＤＶＤの場合で６０％、ＣＤの場合で５０％であり、所定の再生性能（たとえば、平均シンボルエラーレートが約１０−２以下となる再生性能）を得るためにはリム光強度はこれらの最小値以上に設定することが望ましい。
【００４０】
図６は、コリメータレンズ２０６あるいはコリメータレンズ２０６と負レンズ２０４との組み合わせからなる光学系の焦点距離ｆに対するラジアル方向のリム光強度を示すグラフである。図６のグラフに示されるように、表３に示したリム光強度の最小値（ラジアル方向）以上にリム光強度を設定するためには、ＢＤの場合で３２ｍｍ以上の焦点距離が必要であり、ＤＶＤの場合で２５ｍｍ以上の焦点距離が必要である。ＣＤについてはグラフの横軸の数値範囲内全てでリム光強度の最小値（＝５０％）が十分に達成されている。よって、表３によれば、コリメータレンズ２０６の焦点距離ｆ１は、ＤＶＤ用レーザ光（発振波長：約６５０ｎｍ）に対するリム光強度の最小値（＝６０％）を確保するために２５ｍｍ以上の値に設定されることが望ましい。また、コリメータレンズ２０６と負レンズ２０４とからなる組み合わせの合成焦点距離ｆＣは、ＢＤ用レーザ光（発振波長：約４０５ｎｍ）に対するリム光強度の最小値（＝５５％）を確保するために３２ｍｍ以上の値に設定されることが望ましい。以上のことから、ＢＤ、ＤＶＤ及びＣＤの全ての場合でリム光強度の最小値を満足するためには、合成焦点距離ｆＣを３２ｍｍ以上とすればよい。
【００４１】
光ピックアップ装置１０４には、ラジアル方向及びタンジェンシャル方向ともにその外形を小型化することが求められる。コリメータレンズ２０６の焦点距離は、ラジアル方向の外形寸法に直接影響するため、その焦点距離はできるだけ短いほうが望ましい。そのためラジアル方向の外形寸法を小さくするために、その焦点距離ｆ１は、ＤＶＤ／ＣＤ用レーザ光に対するリム光強度を最小にする２５ｍｍとし、合成焦点距離ｆＣは、ＢＤ用レーザ光に対するリム光強度を最小にする３２ｍｍとすることが好ましい。このとき、上式（１）により負レンズ２０４の焦点距離ｆ２は約−６９ｍｍとなる。
【００４２】
負レンズ２０４が存在しない場合、光ピックアップ装置１０４のラジアル方向の外形寸法を小さくするためにコリメータレンズ２０６の焦点距離ｆ１を、ＤＶＤ用レーザ光に対するリム光強度を最小（＝６０％）にする２５ｍｍに設定すれば、図６に示されるようにＢＤ用レーザ光に対するリム光強度は、その基準範囲の最小値（＝５５％）を大幅に下回ることになるので、ＢＤ用レーザ光の使用時に所望の再生性能を確保することができない。これに対し、本実施の形態の光ピックアップ装置１０４は、負レンズ２０４を有し、この負レンズ２０４の焦点距離ｆ２がＢＤ用レーザ光に対するリム光強度を最小（＝５５％）にする値に設定されるので、ＢＤ用レーザ光の使用時における再生性能の劣化を防止することができる。
【００４３】
以上に説明したように、実施の形態１の光ピックアップ装置１０４によれば、光学系の小型化のために焦点距離ｆ１の短いコリメータレンズ２０６を共用する場合でも、負レンズ２０４を採用しない場合と比べて、リム光強度を増大させて集光スポット径を小さくすることができる。したがって、ＢＤ用レーザ光の使用時における再生性能の劣化を防ぐことができる。また、負レンズ２０４の採用によりＢＤ用レーザ光の光路の全長は、ＤＶＤ／ＣＤ用レーザ光の光路のそれよりも長くなるが、反射ミラー２０３によって当該ＢＤ用レーザ光の光路が折り曲げられている。したがって、光集積素子２０１と光集積素子２０２とを互いに隣接して配置することができ、光ピックアップ装置１０４のタンジェンシャル方向の外形寸法を小さくすることができる。
【００４４】
また、図２に示されるように、光集積素子２０１の光軸（光学中心軸）と光集積素子２０２の光軸（光学中心軸）とは互いに平行となるように調整されるので、これにより光ピックアップ装置１０４の小型化が実現される。
【００４５】
なお、ＢＤ用レーザ光の光路とＤＶＤ／ＣＤ用レーザ光の光路との間に光路差があるが、この光路差は、球面収差補正に影響を与えないようにすることができる。たとえば、ＤＶＤ／ＣＤ用レーザ光の光路に起因する球面収差は、当該光路における光学系のレンズ特性を最適化することによって補正することができる。また、光ディスク１０１がＢＤである場合に発生する球面収差をコリメータレンズ駆動機構２１０を用いて補正することができる。
【００４６】
実施の形態２．
次に、本発明に係る実施の形態２について説明する。図７（Ａ），（Ｂ）は、実施の形態２の光ピックアップ装置１０４Ｂの構成を概略的に示す図である。本実施の形態の光ディスク装置の構成は、上記光ピックアップ装置１０４に代えて図７（Ａ），（Ｂ）の光ピックアップ装置１０４Ｂを有する点を除いて、上記光ディスク装置１の構成と同じである。
【００４７】
図７（Ａ）は、この光ピックアップ装置１０４Ｂを光ディスク１０１の情報記録面に垂直な法線方向（Ｘ軸とＹ軸とに垂直なＺ軸方向）から見たときの上面視図であり、図７（Ｂ）は、光ピックアップ装置１０４Ｂの一部を側方（Ｘ軸方向）から見たときの概略図である。図７（Ａ），（Ｂ）及び図２（Ａ），（Ｂ）において、同一符号を付された構成要素は同一機能を有するので、その詳細な説明を省略する。
【００４８】
図７（Ａ）に示されるように、光ピックアップ装置１０４Ｂは、光集積素子２０１，２０２と、反射ミラー２０３Ｂと、負の屈折力を有する負レンズ（凹レンズ）２０４Ｂと、ビームスプリッタであるダイクロイックプリズム２０５Ｂと、コリメータレンズ２０６と、対物レンズアクチュエータ２０９と、コリメータレンズ駆動機構２１０とを備えている。
【００４９】
図８は、光ピックアップ装置１０４ＢにおけるＤＶＤ／ＣＤ用レーザ光の光路を概略的に示す図である。図８に示されるように、光集積素子２０２から出射されたＤＶＤ／ＣＤ用レーザ光Ｌａは、ダイクロイックプリズム２０５Ｂの光学面２０５Ｂｃに入射し、ダイクロイックプリズム２０５Ｂの内部で反射した後、コリメータレンズ２０６で平行光に変換される。立ち上げミラー２０８は、この平行光を互換対物レンズ２０７の方向に反射させる。そして、互換対物レンズ２０７は、立ち上げミラー２０８から入射した光を光ディスク１０１に集光させて集光スポットを形成する。一方、光ディスク１０１で反射した戻り光は、互換対物レンズ２０７を透過した後、立ち上げミラー２０８でコリメータレンズ２０６の方向に反射させられる。その後、戻り光は、コリメータレンズ２０６を透過し、ダイクロイックプリズム２０５Ｂの光学面２０５Ｂｃに入射し、ダイクロイックプリズム２０５Ｂの内部で反射した後、光集積素子２０２の受光素子（図示せず）によって受光される。
【００５０】
図９は、光ピックアップ装置１０４ＢにおけるＢＤ用レーザ光の光路を概略的に示す図である。図９に示されるように、光集積素子２０１から出射されたＢＤ用レーザ光Ｌｂは、反射ミラー２０３Ｂで反射して負レンズ２０４Ｂに入射する。ダイクロイックプリズム２０５Ｂは、負レンズ２０４Ｂから光学面２０５Ｂａに入射するレーザ光をコリメータレンズ２０６の方向に透過させる。立ち上げミラー２０８は、コリメータレンズ２０６から出射された平行光を、互換対物レンズ２０７の方向に反射させる。そして、互換対物レンズ２０７は、立ち上げミラー２０８から入射した光を光ディスク１０１に集光させて集光スポットを形成する。一方、光ディスク１０１で反射した戻り光は、互換対物レンズ２０７を透過した後、立ち上げミラー２０８でコリメータレンズ２０６の方向に反射させられる。その後、戻り光は、ダイクロイックプリズム２０５Ｂの光学面２０５Ｂｃに入射しダイクロイックプリズム２０５を透過する。その後、戻り光は、負レンズ２０４Ｂを透過した後に反射ミラー２０３Ｂに入射する。反射ミラー２０３Ｂは、負レンズ２０４Ｂから出射された戻り光を光集積素子２０１の方向に反射させる。そして、光集積素子２０１の受光素子（図示せず）は、戻り光を受光する。
【００５１】
以上説明したように、実施の形態２の光ピックアップ装置１０４Ｂによれば、実施の形態１の場合と同様に、光学系の小型化のために焦点距離ｆ１の短いコリメータレンズ２０６を共用する場合でも、負レンズ２０４Ｂを採用しない場合と比べて、リム光強度を増大させて集光スポット径を小さくすることができる。したがって、ＢＤ用レーザ光の使用時における再生性能の劣化を防ぐことができる。また、負レンズ２０４Ｂの採用によりＢＤ用レーザ光の光路の全長は、ＤＶＤ／ＣＤ用レーザ光の光路のそれよりも長くなるが、反射ミラー２０３Ｂによって当該光路が折り曲げられている。したがって、光集積素子２０１と光集積素子２０２とを互いに隣接して配置することができ、光ピックアップ装置１０４Ｂのラジアル方向の寸法を小さくすることができる。
【００５２】
また、図７に示されるように、光集積素子２０１の光軸と光集積素子２０２の光軸とは互いに平行となるように調整されるので、これにより光ピックアップ装置１０４Ｂの小型化が実現される。
【００５３】
実施の形態３．
次に、上記実施の形態１の変形例である実施の形態３について説明する。図１０（Ａ），（Ｂ）は、実施の形態３の光ピックアップ装置１０４Ｃの構成を概略的に示す図である。図１０（Ａ）は、この光ピックアップ装置１０４Ｃを光ディスク１０１の情報記録面に垂直な法線方向（Ｘ軸とＹ軸とに垂直なＺ軸方向）から見たときの上面視図であり、図１０（Ｂ）は、光ピックアップ装置１０４Ｃの一部を側方（Ｘ軸方向）から見たときの概略図である。
【００５４】
実施の形態３の光ピックアップ装置１０４Ｃと実施の形態１の光ピックアップ装置１０４との違いは、ターンテーブル１０２の中心点と互換対物レンズ２０７の光軸中心とを結ぶ直線Ａ１に対して構成要素２０１〜２０６，２０９，２１０が線対称に入れ替わっている点である。よって、実施の形態３の光ピックアップ装置１０４Ｃの構成要素と実施の形態１の光ピックアップ装置１０４の構成要素とは、直線Ａ１に関して互いに線対称をなすように配置されている。したがって、本実施の形態の場合も、上記実施の形態１の場合と同様の効果を得ることができる。
【００５５】
実施の形態４．
次に、上記実施の形態２の変形例である実施の形態４について説明する。図１１（Ａ），（Ｂ）は、実施の形態４の光ピックアップ装置１０４Ｄの構成を概略的に示す図である。図１１（Ａ）は、この光ピックアップ装置１０４Ｄを光ディスク１０１の情報記録面に垂直な法線方向（Ｘ軸とＹ軸とに垂直なＺ軸方向）から見たときの上面視図であり、図１１（Ｂ）は、光ピックアップ装置１０４Ｄを側方（Ｘ軸方向）から見たときの概略断面図である。
【００５６】
実施の形態４の光ピックアップ装置１０４Ｄと実施の形態２の光ピックアップ装置１０４Ｂとの違いは、ターンテーブル１０２の中心点と互換対物レンズ２０７の光軸中心とを結ぶ直線Ａ２に対して構成要素２０１，２０２，２０３Ｂ，２０４Ｂ，２０５Ｂ，２０６，２０９，２１０が線対称に入れ替わっている点である。よって、実施の形態４の光ピックアップ装置１０４Ｄの構成要素と実施の形態２の光ピックアップ装置１０４Ｂの構成要素とは、直線Ａ２に関して互いに線対称をなすように配置されている。したがって、本実施の形態の場合も、上記実施の形態２の場合と同様の効果を得ることができる。
【００５７】
以上、図面を参照して本発明の実施形態について述べたが、これらは本発明の例示であり、上記以外の様々な構成を採用することもできる。たとえば、上記実施の形態１〜４では、光ピックアップ装置１０４，１０４Ｂ〜１０４Ｄは、発振波長の異なる３種類のレーザ光を出射する光集積素子２０１，２０２を有しているが、レーザ光の種類は３種類に限定されるものではない。
【符号の説明】
【００５８】
１  光ディスク装置、  １０１  光ディスク、  １０２  ターンテーブル、  １０３  スピンドルモータ、  １０４  光ピックアップ装置、  １０５  スレッド駆動機構、  １０６  マトリクス回路、  １０７  信号再生回路、  １０８  サーボ回路、  １０９  スピンドル制御回路、  １１０  レーザ制御回路、  １１１  スレッド制御回路、  １１２  コントローラ、  ２０１，２０２  光集積素子、  ２０３，２０３Ｂ  反射ミラー、  ２０４，２０４Ｂ  負レンズ、  ２０５，２０５Ｂ  ダイクロイックプリズム（ビームスプリッタ）、  ２０６  コリメータレンズ、  ２０７  互換対物レンズ、  ２０８  反射ミラー（立ち上げミラー）、  ２０９  対物レンズアクチュエータ、  ２１０  コリメータレンズ駆動機構。
【図１】
2012039318.tif 000010
【図２】
2012039318.tif 000011
【図３】
2012039318.tif 000012
【図４】
2012039318.tif 000013
【図５】
2012039318.tif 000014
【図６】
2012039318.tif 000015
【図７】
2012039318.tif 000016
【図８】
2012039318.tif 000017
【図９】
2012039318.tif 000018
【図１０】
2012039318.tif 000019
【図１１】
2012039318.tif 000020
【手続補正書】
【提出日】平成24年10月16日(2012.10.16)
【手続補正１】
【補正対象書類名】特許請求の範囲
【補正対象項目名】全文
【補正方法】変更
【補正の内容】
【特許請求の範囲】
【請求項１】
第１発振波長のレーザ光を出射する第１のレーザ光源と第１の受光素子とを含む第１の光集積素子と、
前記第１発振波長よりも長い第２発振波長のレーザ光を出射する第２のレーザ光源と第２の受光素子とを含む第２の光集積素子と、
第１の光学面、第２の光学面及び第３の光学面を有し、前記第１の光集積素子から第１の光路を経て前記第１の光学面に入射する前記第１発振波長のレーザ光を導光して前記第３の光学面から出射するとともに、前記第２の光集積素子から第２の光路を経て前記第２の光学面に入射する前記第２発振波長のレーザ光を導光して前記第３の光学面から出射するビームスプリッタと、
前記ビームスプリッタの前記第３の光学面から出射された前記第１発振波長のレーザ光を第１の平行光に変換するとともに、前記第３の光学面から出射された前記第２発振波長のレーザ光を第２の平行光に変換する平行光学系と、
前記平行光学系から出射された前記第１の平行光を光ディスクに集光させるとともに、前記平行光学系から出射された前記第２の平行光を前記光ディスクに集光させる集光光学系と、
前記第１の光路中に配置され、前記第１の光集積素子から出射された前記第１発振波長のレーザ光を発散させる負の屈折力を有する負レンズと、
前記第１の光路中の前記負レンズと前記第１の光集積素子との間に配置され、前記第１の光集積素子から出射された前記第１発振波長のレーザ光を前記第１の光学面の方向に反射させる全反射ミラーと
を備え、
前記光ディスクで反射した戻り光は、前記集光光学系及び前記平行光学系を経て前記ビームスプリッタの前記第３の光学面に入射し、
前記ビームスプリッタは、前記戻り光のうち前記第１発振波長のレーザ光を導光して前記第１の光学面から出射するとともに、前記戻り光のうち前記第２発振波長のレーザ光を導光して前記第２の光学面から出射し、
前記第１の光集積素子は、前記第１の光学面から出射され前記負レンズ及び前記全反射ミラーを経て入射する前記第１発振波長のレーザ光を受光し、
前記第２の光集積素子は、前記第２の光学面から出射された前記第２発振波長のレーザ光を受光し、
前記平行光学系の焦点距離は、前記第２発振波長のレーザ光に対するリム光強度を第１の所定範囲内で最小にする値に設定されており、
前記負レンズの焦点距離は、前記第１発振波長のレーザ光に対するリム光強度を第２の所定範囲内で最小にする値に設定されており、
前記第１の光集積素子は、前記全反射ミラーにより屈曲された前記第１の光路の端に配置され、且つ前記第２の光集積素子と隣接して配置されている
ことを特徴とする光ピックアップ装置。
【請求項２】
請求項１に記載の光ピックアップ装置であって、前記第１の光集積素子の光軸と前記第２の光集積素子の光軸とは互いに平行であることを特徴とする光ピックアップ装置。
【請求項３】
請求項１または２に記載の光ピックアップ装置であって、前記第２発振波長のレーザ光に対するリム光強度をＩＲＩＭとし、前記集光光学系に光を入射させる前記平行光学系の焦点距離をｆとし、前記第２のレーザ光源のビーム広がり角をθ（単位：°）とし、前記集光光学系の瞳径をφとし、比例係数をＫとするとき、前記平行光学系の焦点距離ｆは、以下の式：
【数４】
2012039318.tif 000021
に従って与えられることを特徴とする光ピックアップ装置。
【請求項４】
請求項１から３のうちのいずれか１項に記載の光ピックアップ装置であって、
前記第１の所定範囲内の最小値が５５％であり、
前記第２の所定範囲内の最小値が６０％である
ことを特徴とする光ピックアップ装置。
【請求項５】
請求項１から４のうちのいずれか１項に記載の光ピックアップ装置であって、
前記第１発振波長は、４０５ｎｍであり、
前記第２発振波長は、６５０ｎｍである、
ことを特徴とする光ピックアップ装置。
【請求項６】
請求項１から５のうちのいずれか１項に記載の光ピックアップ装置であって、
前記集光光学系は、前記第１発振波長のレーザ光と前記第２発振波長のレーザ光とについて共用の対物レンズを含み、
前記対物レンズは、前記第１発振波長のレーザ光に対して第１の開口数を有し、且つ、前記第２発振波長のレーザ光に対して前記第１の開口数よりも小さい第２の開口数を有する
ことを特徴とする光ピックアップ装置。
【請求項７】
請求項１から６のうちのいずれか１項に記載の光ピックアップ装置であって、前記ビームスプリッタは、前記第１の光学面に入射する前記第１発振波長のレーザ光を前記平行光学系の方向に反射させ、前記第２の光学面に入射する前記第２発振波長のレーザ光を透過させることを特徴とする光ピックアップ装置。
【請求項８】
請求項１から６のうちのいずれか１項に記載の光ピックアップ装置であって、前記ビームスプリッタは、前記第２の光学面に入射する前記第２発振波長のレーザ光を前記平行光学系の方向に反射させ、前記第１の光学面に入射する前記第１発振波長のレーザ光を透過させることを特徴とする光ピックアップ装置。
【請求項９】
請求項１から８のうちのいずれか１項に記載の光ピックアップ装置を備えていることを特徴とする光ディスク装置。
【請求項１０】
請求項９に記載の光ディスク装置であって、前記光ピックアップ装置の第１の受光素子及び第２の受光素子のうちのいずれか一方から出力された検出信号に基づいて、前記光ディスクの記録情報を再生する信号再生回路をさらに備えることを特徴とする光ディスク装置。
【手続補正２】
【補正対象書類名】明細書
【補正対象項目名】０００９
【補正方法】変更
【補正の内容】
【０００９】
本発明の第１の態様による光ピックアップ装置は、第１発振波長のレーザ光を出射する第１のレーザ光源と第１の受光素子とを含む第１の光集積素子と、前記第１発振波長よりも長い第２発振波長のレーザ光を出射する第２のレーザ光源と第２の受光素子とを含む第２の光集積素子と、第１の光学面、第２の光学面及び第３の光学面を有し、前記第１の光集積素子から第１の光路を経て前記第１の光学面に入射する前記第１発振波長のレーザ光を導光して前記第３の光学面から出射するとともに、前記第２の光集積素子から第２の光路を経て前記第２の光学面に入射する前記第２発振波長のレーザ光を導光して前記第３の光学面から出射するビームスプリッタと、前記ビームスプリッタの前記第３の光学面から出射された前記第１発振波長のレーザ光を第１の平行光に変換するとともに、前記第３の光学面から出射された前記第２発振波長のレーザ光を第２の平行光に変換する平行光学系と、前記平行光学系から出射された前記第１の平行光を光ディスクに集光させるとともに、前記平行光学系から出射された前記第２の平行光を前記光ディスクに集光させる集光光学系と、前記第１の光路中に配置され、前記第１の光集積素子から出射された前記第１発振波長のレーザ光を発散させる負の屈折力を有する負レンズと、前記第１の光路中の前記負レンズと前記第１の光集積素子との間に配置され、前記第１の光集積素子から出射された前記第１発振波長のレーザ光を前記第１の光学面の方向に反射させる全反射ミラーとを備え、前記光ディスクで反射した戻り光は、前記集光光学系及び前記平行光学系を経て前記ビームスプリッタの前記第３の光学面に入射し、前記ビームスプリッタは、前記戻り光のうち前記第１発振波長のレーザ光を導光して前記第１の光学面から出射するとともに、前記戻り光のうち前記第２発振波長のレーザ光を導光して前記第２の光学面から出射し、前記第１の光集積素子は、前記第１の光学面から出射され前記負レンズ及び前記全反射ミラーを経て入射する前記第１発振波長のレーザ光を受光し、前記第２の光集積素子は、前記第２の光学面から出射された前記第２発振波長のレーザ光を受光し、前記平行光学系の焦点距離は、前記第２発振波長のレーザ光に対するリム光強度を第１の所定範囲内で最小にする値に設定されており、前記負レンズの焦点距離は、前記第１発振波長のレーザ光に対するリム光強度を第２の所定範囲内で最小にする値に設定されており、前記第１の光集積素子は、前記全反射ミラーにより屈曲された前記第１の光路の端に配置され、且つ前記第２の光集積素子と隣接して配置されていることを特徴とする。
【国際調査報告】
2012039318.tif 000022
2012039318.tif 000023
2012039318.tif 000024
2012039318.tif 000025